(57)【要約】【課題】本発明は、チェーンソー等の手持ち式電動工具のバー１を該工具の本体２に取り付けるための装置に関する。【解決手段】装置は、本体２に固定して配置される第１の部分３ａと、本体から延在し且つナット５、１５と係合する係合部３ｃを有する第２の部分３ｂとを有する少なくとも一つのボルト３と、バーをカバー部４と本体２との間に介装させるようにバー１に当接するカバー部４と、カバー部４に係留する少なくとも一つのナット５とを備える。ナットは、ボルト３の係合部３ｃと係合してバー１をカバー部４と本体２との間に固定する。ナットは、回転軸線Ｘを有する。またナットは、第１の距離Ａをボルト３の係合部３ｃに沿って回転軸線Ｘ方向に移動するように構成され、カバー部４と本体２との間にバー１を固定する。【選択図】図４
2014042985.tif 000002
【特許請求の範囲】
【請求項１】
手持ち式電動工具のバー（１）を工具の本体（２）に取り付けるための装置であって、
少なくとも一つの第１の係合手段（３）であって、本体（２）に固定して配置される第１の部分（３ａ）と、本体から延在し且つ第２の係合手段（５）と係合する係合部（３ｃ）を有する第２の部分（３ｂ）と、を有する第１の係合手段（３）と、
バー（１）をカバー部（４）と本体（２）との間に介装させるようにバー（１）に当接するカバー部（４）と、
カバー部（４）に係留する少なくとも一つの第２の係合手段（５）であって、第１の係合手段（３）の係合部（３ｃ）と係合してカバー部（４）と本体（２）との間にバー（１）を固定する、回転軸線（Ｘ）を有する第２の係合手段と、を備え、
第２の係合手段は、第１の距離（Ａ）を第１の係合手段（３）の係合部（３ｃ）に沿って第２の係合手段（５）の回転軸線（Ｘ）方向に移動するように構成され、カバー部（４）と本体（２）との間にバー（１）を固定する、装置において、
第１の係合手段（３）と第２の係合手段（５）が係合していないときは、第２の係合手段（５）が第１の距離（Ａ）よりも長い第２の距離（Ｂ）を第２の係合手段（５）の回転軸線（Ｘ）方向にカバー部（４）に対して移動可能となるように、第２の係合手段（５）をカバー部（４）に係留し、
カバー部（４）は、該カバー部が本体（２）に配置される際に本体側を向く内側面（４ａ）と、該カバー部が本体（２）に配置される際に本体の反対方向を向く外側面（４ｂ）とを有し、カバー部（４）はさらに内側面と外側面との間に延在して第１の係合手段（３）の第２の部分（３ｂ）を受容する貫通孔（４ｃ）を有し、カバー部（４）はさらに少なくとも一つの凹部（４ｃ）を有し、該凹部（４ｃ）に第２の係合手段の取付部（５ａ）が第２の係合手段をカバー部に係留するために配置され、
第２の係合手段をカバー部（４）に係留するための少なくとも一つの凹部（４ｃ）は、第１の係合手段（３）を受容するために設けられる貫通孔（４ｃ、４ｇ）の一部であり、
凹部（４ｃ）は、カバー部の外側面（４ｂ）から内側面（４ａ）に向かって延びる貫通孔の外側部分であり、凹部（４ｃ）は、貫通孔の内側部分（４ｇ）の直径よりも大きな直径を有することを特徴とする装置。
【請求項２】
第２の係合手段の取付部（５ａ）は、第２の係合手段の回転軸線（Ｘ）から離れる方向に延びる突出部（５ｂ）を備え、カバー部（４）は、第２の係合手段の回転軸線（Ｘ）に近づく方向に延びる突出部（４ｄ）を備え、突出部（５ｂ、４ｄ）は、第２の係合手段（５）をカバー部（４）に係留するために協働するように配置されることを特徴とする、請求項１に記載の装置。
【請求項３】
手持ち式電動工具のバー（１）を工具の本体（２）に取り付けるための装置であって、
少なくとも一つの第１の係合手段（３）であって、本体（２）に固定して配置される第１の部分（３ａ）と、本体から延在し且つ第２の係合手段（５）と係合する係合部（３ｃ）を有する第２の部分（３ｂ）と、を有する第１の係合手段（３）と、
バー（１）をカバー部（４）と本体（２）との間に介装させるようにバー（１）に当接するカバー部（４）と、
カバー部（４）に係留する少なくとも一つの第２の係合手段（５）であって、第１の係合手段（３）の係合部（３ｃ）と係合してカバー部（４）と本体（２）との間にバー（１）を固定する、回転軸線（Ｘ）を有する第２の係合手段と、を備え、
第２の係合手段は、第１の距離（Ａ）を第１の係合手段（３）の係合部（３ｃ）に沿って第２の係合手段（５）の回転軸線（Ｘ）方向に移動するように構成され、カバー部（４）と本体（２）との間にバー（１）を固定する、装置において、
第１の係合手段（３）と第２の係合手段（５）が係合していないときは、第２の係合手段（５）が第１の距離（Ａ）よりも長い第２の距離（Ｂ）を第２の係合手段（５）の回転軸線（Ｘ）方向にカバー部（４）に対して移動可能となるように、第２の係合手段（５）をカバー部（４）に係留し、
カバー部（４）は、カバー部が本体（２）に配置される際に本体側を向く内側面（４ａ）と、カバー部が本体（２）に配置される際に本体の反対方向を向く外側面（４ｂ）とを有し、カバー部（４）はさらに内側面と外側面との間に延在して第１の係合手段（３）の第２の部分（３ｂ）を受容する貫通孔（４ｃ、４ｇ）を有し、カバー部（４）はさらに少なくとも一つの凹部（４ｃ）を有して、第２の係合手段の取付部（５ａ）が第２の係合手段をカバー部に係留するために配置され、
第２の係合手段をカバー部（４）に係留するための少なくとも一つの凹部（４ｃ）は、第１の係合手段（３）を受容するために設けられる貫通孔（４ｃ）の一部であり、
カバー部（４）は、取付装置（６）により外側面（４ｂ）に取り付けられるプレート部（４ｆ）を有し、カバー部の突出部（４ｄ）はプレート部（４ｆ）の一部であることを特徴とする装置。
【発明の詳細な説明】
【技術分野】
【０００１】
本発明は、チェーンソー等の手持ち式電動工具のための取付装置に関する。特に、本発明は、このような手持ち式電動工具のバーを該工具の本体に取り付けるための装置に関する。
【背景技術】
【０００２】
従来のチェーンソーは、本体と、チェーンソーを支持するガイドバーとを含む。カバーは、棒ボルトとナットを備える締付け装置によりガイドバーを本体に締付け固定する。例えばバーを交換する等の理由により、又は、チェーンが外れてしまった場合、カバーを本体から取り外す必要が生じ得る。カバーを取り外すには、ナットを棒ボルトから外し締付け装置を緩めなければならない。
【０００３】
棒ボルトから外されたナットはどこにも繋がれずばらばらの状態である、従来の締付け装置に関する問題は、特に森林内にいる場合、工具のオペレータが本体からカバーを取り外す際にナットを紛失する可能性があるということである。オペレータはしばしば棒ボルトから外したナットを地面に置くが、地面は通常茂みや藪に覆われているためナットを再び見つけ出すことは困難であろう。
【０００４】
ナットをカバーの内側に配置することによりカバーを取り外す際にナットの紛失を防ぐ装置が、特許文献１に開示されている。この装置に関する欠点は、カバーがガイドバーに当たる前にナットがボルトに当たるため、ナットとボルトが螺合し始めないと、ガイドバーを正しい位置に保持するためにカバーを本体に対して押圧することができないことである。代わりに、オペレータが一方の手で正しい位置にガイドバーを保持しながら、他方の手でナットを螺合する必要があり、取付作業が複雑になる。
【０００５】
長いガイドバーを有する大型のチェーンソーに関し、ガイドバー締付け装置はより大きな変形力を受けるので、取付を強化するために二つの棒ボルト及び対応するナットが一般に用いられる。二つの棒ボルトを有する装置は、特許文献２に開示されている。二つ以上の棒ボルトを有するチェーンソーにおいて、特許文献１に記載される装置は、ナットを一つずつ外すことができないため不便である。代わりに、オペレータがナットを交互に外さなければならず、カバーを本体から取り外すには少々手間がかかる。
【０００６】
オペレータがカバーを取り外す理由は、バーやチェーンを交換する目的以外にもある。例えば、オペレータは、週に一度、ブレーキ部品の点検及び遠心クラッチの点検等を含むオーバーホールを行っている。これらの点検の間はカバーを外す必要がある。カバーを取り外すまた別の理由は、チェーンにチェーンオイルを供給するバーの溝又は孔を掃除する際に手が届くようにするためである。この溝又は孔は、過酷な作業状況において長期にわたり使用していると塵埃で詰まることがあり、時には掃除を必要とする。
【先行技術文献】
【特許文献】
【０００７】
【特許文献１】米国特許出願公開第２００１／００４２３１１号明細書
【特許文献２】米国特許第５４９７５５７号明細書
【発明の概要】
【発明が解決しようとする課題】
【０００８】
本発明の目的は、現存の装置における上述の欠点の少なくともいくつかを解消する改良を提供することである。
【課題を解決するための手段】
【０００９】
この目的は、本発明の請求項１に記載される、チェーンソー等の手持ち式電動工具のバーを該工具本体に取り付けるための装置により達成される。該装置は、本体に固定して配置される第１の部分と、本体から延在し且つ第２の係合手段と係合する係合部を有する第２の部分とを有する少なくとも一つの第１の係合手段と、バーをカバー部と本体との間に介装させるようにバーに当接するカバー部と、カバー部に係留する少なくとも一つの第２の係合手段とを備え、該第２の係合手段は、第１の係合手段の係合部と係合してカバー部と本体との間にバーを固定し、且つ回転軸線を有する。第２の係合手段は、第１の距離（Ａ）を第１の係合手段の係合部に沿って第２の係合手段の回転軸線方向に移動するように構成され、カバー部と本体との間にバーを固定する。第１の係合手段と第２の係合手段とが係合していないときは、第２の係合手段は、第１の距離（Ａ）より長い第２の距離（Ｂ）を第２の係合手段の回転軸線方向にカバー部に対して移動可能となるように、カバー部に係留する。
【００１０】
好ましくは、第１の係合手段と第２の係合手段とが係合しておらず且つカバー部が本体から取り外されているときは、第２の係合手段は、第１の距離（Ａ）より長い第２の距離（Ｂ）を第２の係合手段の回転軸線方向にカバー部に対して移動可能となるように、カバー部に係留する。
【００１１】
第２の係合手段をカバー部にこのように係留することにより、オペレータがカバー部を第１の係合手段に被せることでカバー部はバーの方向へ押圧されるので、第２の係合手段を第１の係合手段に係合させ始める前にカバー部と工具本体との間でバーを挟持することが可能である。そのため、カバー部に係留する第２の係合手段を用いることで、カバー部のバーへの装着が容易になる。また、この解決方法により、ブレーキがカバー部内に搭載されている場合特に困難となるカバー部の本体への正確な取付けを確実に行えるようにする。
【００１２】
本発明の一実施形態によれば、カバー部は、カバー部が本体に取り付けられる際に本体側に向けられる、内側面と、カバー部が本体に取り付けられる際に本体とは反対方向に向けられる、外側面とを有する。カバー部はさらに、内側面と外側面との間に延在して第１の係合手段の第２の部分を受容する貫通孔を有する。カバー部はさらに、第２の係合手段をカバー部に係留するために第２の係合手段の取付部が取り付けられる、少なくとも一つの凹部を備える。
【００１３】
カバー部にこのような凹部及び貫通孔を設けることにより、ナットをカバー部に係留することができると共にナットは係留した状態でカバー部に対してナットの回転軸線方向に一定の遊びを有することができる。
【００１４】
本発明の別の実施形態によれば、カバー部は、第１の係合手段を第２の係合手段へと案内する案内手段を有する。これにより、カバー部は第１の取付手段へと正確に案内されるようになる。なぜなら、第１の取付手段が案内手段内に挿入されると、第１の取付手段は第２の取付手段へと案内されるからであり、その結果、カバー部を本体に正しく配置することが可能となる。
【００１５】
本発明のまた別の実施形態によれば、貫通孔の少なくとも一部は、第１の係合手段の断面寸法と略同一の断面寸法を有する。そのため、貫通孔の内壁は、第１の係合手段を第２の係合手段へと案内する案内手段としての役目を果たす。
【００１６】
本発明のさらに別の実施形態によれば、カバー部の少なくとも一つの凹部は、貫通孔から独立して配置される。これにより、第２の距離（Ｂ）、即ち、第２の係合手段がカバー部に対して移動可能となる距離が増加し、さらに、第１の係合手段を第２の係合手段へと案内する案内手段として貫通孔の全長を使用することができる。
【００１７】
上記さらに別の実施形態の変形によれば、第２の係合手段は、ホルダ部と係合部とを備え、該係合部はホルダ部に回転可能に取り付けられる。係合部はホルダ部に回転可能に取り付けられるため、ホルダ部は、回転可能である必要がなく、カバー部に係留することができる。そのため、カバー部は、ホルダ部のカバー部における回転運動を許可する必要がないので、カバー部において第２の係合手段のために必要とされる自由空間がより小さくなる。
【００１８】
上記さらに別の実施形態の別の変形によれば、第２の係合手段のホルダ部の少なくとも一つの取付部は、弾性構造を有する。これにより、ホルダ部は、カバー部の少なくとも一つの凹部内にスナップ嵌合するので、第２の係合手段のカバー部への係留状態での取付けを素早く行うことができる。
【００１９】
上記さらに別の実施形態のまた別の変形によれば、少なくとも一つの取付部は、カバー部の少なくとも三つの独立した凹部と協働する少なくとも三つの取付部を備える。これにより、カバー部とナットの構造上の許容誤差に関わらず、凹部とナットの取付部とをぴったりと嵌合することができる。
【００２０】
本発明のまたさらに別の実施形態によれば、第２の係合手段をカバー部に係留する少なくとも一つの凹部は、第１の係合手段を受容する貫通孔の一部である。そのため、凹部と貫通孔は同一の穴となり、カバー部の製造は簡略化される。
【００２１】
上記またさらに別の実施形態の変形によれば、第２の係合手段の取付部は、第２の係合手段の回転軸線から離れる方向に延びる突出部を備えると共に、カバー部は、第２の係合手段の回転軸線方向へ延びる突出部を備える。これらの突出部が協働するように構成されることで、第２の係合手段はカバー部に係留する。これにより、費用効果の高い方法で、ナットをカバー部に係留することが可能となる。
【００２２】
上記またさらに別の実施形態の別の変形によれば、カバー部は、ベース部とプレート部とを有し、該プレート部は取付装置によりベース部に取り付けられ、カバー部の突出部は該プレート部の一部である。これにより、ナットのカバー部への係留状態での取付けが容易になる。また、欠陥のあるナットの交換も容易になる。
【００２３】
本発明の更なる実施形態によれば、該取付装置は、少なくとも二つの第１の係合手段と少なくとも二つの第２の係合手段とを備え、少なくとも二つの第２の係合手段の各々は、少なくとも二つの第１の係合手段のうちの一つとそれぞれ協働するように構成される。本発明に基づく、少なくとも二つの第１の係合手段及び対応する第２の係合手段を有する工具のための取付装置を使用することにより、ユーザは一つの第２の係合手段を対応する第１の係合手段に完全に係合させた後で、もう一つの第２の係合手段を対応する第１の係合手段に係合させることができる。その結果、カバー部の本体への取付けが容易になる。同様に、カバー部を本体から取り外す場合も、一つの第２の係合手段を第１の係合手段から取り外した後で、残りの第２の係合手段を対応する第１の係合手段からさらに外すことができ、カバー部の本体からの取り外しも容易である。
【００２４】
本発明の別の側面によれば、チェーンソー等の手持ち式電動工具が要求される。該工具は、本体及びバー並びに本発明の取付装置を備える。
【図面の簡単な説明】
【００２５】
本発明を添付図面を参照しながらより詳細に以下に説明する。
【図１】本発明の第１実施形態を含むチェーンソーの一部の断面図である。
【図２】本発明の第１実施形態を含むチェーンソーの一部の断面図である。
【図３】本発明の第１実施形態によるナットの斜視図である。
【図４】本発明の第２実施形態の断面図である。
【発明を実施するための形態】
【００２６】
本発明の好適な実施形態を示す添付図面を参照しながら、本発明をより詳細に以下に説明する。しかしながら、本発明は様々な形状において実施が可能であり、ここに記載される実施形態に限定されるものとして解釈すべきではない。むしろ、これらの実施形態は、本開示内容を十分且つ完全なものとし当業者に本発明の範囲を十分に伝達するために提供される。図面において、同一の参照番号は同一の要素を示す。
【００２７】
手持ち式電動工具のための取付装置の二つの好適な実施形態を、図１〜図４を参照しながら説明する。これらの実施形態において、手持ち式電動工具は、本体とチェーンガイドバーとを有するチェーンソーであり、該チェーンガイドバーは、従来、バー周縁の溝においてソーチェーンを支持及び案内する。ソーチェーンは、カバー部に覆われたスプロケットにより駆動される。本体には、駆動装置を介してスプロケットを駆動するエンジンが設けられる。ガイドバーは、チェーンソーの長手方向前方に延び、バーの後部端は、締付け装置により、本体とカバー部との間で挟持される。
【００２８】
本発明の第１実施形態を図１〜図３に示す。図１及び図２は、本発明を含むチェーンソーの一部を示す。カバー部１４は、二つの連結部１０、２０を備える締付け装置によりガイドバー１を本体２に締付け固定する。各連結部は、第１の係合手段３と第２の係合手段１５とを含む。第１の係合手段３はボルトであり、第２の係合手段１５はナットである。
【００２９】
各ボルト３は、第１の部分３ａと第２の部分３ｂとを有する。第１の部分３ａは、例えば圧入により本体２に固着され、第２の部分３ｂは、本体からガイドバー平面に対して垂直方向にガイドバー１の孔及びカバー部１４の孔１４ｃを貫通して延びる。カバー部１４は、本体２側へ向けられる内側面１４ａと、本体とは反対方向に向けられる外側面１４ｂとを有する。ナットをボルトに係合するための係合部としての役目を果たす第２のボルト部分３ｂのねじ部３ｃは、少なくとも部分的にカバー部の外側面１４から突出する。バー１をカバー部１４と本体２との間に挟持するために、ナット１５は、ボルト３のねじ部３ｃに係合し、締め付けられる。
【００３０】
図１及び図２における右側の連結部２０は、ナット１５とボルト３は係合していないが、ナットはホルダ部１４に係留状態で接続している状態を示す。
【００３１】
図１及び図２における左側の連結部１０は、ナット３及びボルト１５は係合し、連結部が本体２とカバー部１４との間にバー１をしっかりと挟持するようにナット１５が締め付けられた状態を示す。
【００３２】
図２において、参照符号Ａは、ボルト３とナット１５とのねじ係合の長さである第１の距離、即ち、バー１を本体２とカバー部１４との間にしっかりと挟持するためにナット１５がボルト３とねじ係合しながらナット回転軸線Ｘ方向へ移動する距離、を示す。ナットがボルトに係合していない時は、ナットは第２の距離Ｂをナット回転軸線Ｘ方向にカバー部１４に対して移動することができる。図２において、この第２の距離Ｂは、同図左側のナット１５の位置と同図右側のナット１５の位置との間のナット回転軸線Ｘ方向の距離に等しい。第２の距離Ｂは、第１の距離Ａと等しいか又は第１の距離Ａよりも長いため、本体からカバーを取り外す際に、ナット１５を一つずつ別個に外すことが可能である。
【００３３】
ナット１５は、内ねじを有する中空の本体部１５ｂを備え、該本体部は、図３に示すように、ホルダ部１５ａに回転可能に取り付けられる。本体部１５ｂは、ナット回転軸線Ｘを中心としてホルダ部１５ａに対して回転する。
【００３４】
ホルダ部１５ａは、本体部１５ｂに当接する略円形部分と、この略円形部分の周縁から延びる脚部として形成される三つの取付部１５ｃとを備える。脚部１５ｃは、扁平形で、ナット回転軸線Ｘと略平行に本体部１５ｂから離れる方向に延びる。
【００３５】
各脚部１５ｃにおいて、スロットが、本体部から遠い方の各脚部の端から本体部１５ｂに向かって脚部１５ｃの末端とホルダ部１５ａの略円形部分との間の地点まで延在することで、スロットにより各脚部１５ｃの一部は二つの平行する部分に分割される。各々の平行する部分は、フック状の突出部１５ｄをその末端に有する。
【００３６】
カバー部１４は、ナットのホルダ部１５ａの脚部１５ｃを受容する細長凹部１４ｅを有する。各々の脚部１５ｃ毎に一つの独立した凹部１４ｅが存在する。凹部１４ｅは、カバー部の貫通孔１４ｃとは別個に設けられるものであり、該貫通孔１４ｃはボルト３を受容するために設けられる。カバー部１４の外側面１４ｂは、ナットホルダ部の脚部１５ｃのフック１５ｄと協働するように配置される突出部１４ｄを有する。これらの突出部１４ｄ間の間隔によって、凹部１４ｅの開口の幅を、ナットホルダ部の脚部１５ｃのフック１５ｄの位置における幅よりも小さくすることで、ホルダ部の脚部１５ｃは凹部１４ｅ内につなぎ留められる。各凹部１４ｅの深さは、ホルダ部脚部１４ｃの長さと等しいか又はこれより大きい。凹部１４ｅは、別の実施形態によれば、本体の外側面１４ａから内側面１４ｂまで延設してもよい。即ち、凹部は、貫通孔であってもよい。
【００３７】
各脚部１５ｃにスロットを設けることにより、ナットホルダ部の脚部１５ｃの構造は弾力性を有する。二つの平行する部分の外側端を互いの方向へ押圧することが可能であり、脚部をカバー部における凹部１４ｅの開口内へパチンと嵌め込むことができる。いったん凹部に挿通すると、脚部１５ｃは元の形状に戻る。脚部１５ｃによって、ナット１５はカバー部１４に対してナットの回転軸線Ｘ方向に移動可能となる。脚部のフック１５ｄがカバー部１４の突出部１４ｄに到達すると、突出部１４ｄは、フック１５ｄと協働してナット１５の移動を止める。このようにして、ナット１５は、カバー部１４に係留する。
図１〜図３において、ナットホルダ部１５ａは三つの脚部１５ｃを有し、脚部１５ｃを受容するカバー部１４の凹部１４ｅが三つ設けられている。脚部１５ｃ及び対応する凹部１４ｅの数は、一つ、二つ、四つ又はそれ以上でも良い。
【００３８】
図１における断面は、ボルト３の中心と交差する面に沿ったものである。図２における断面は、図１の断面と平行であり且つナットホルダ部１５ａの脚部１５ｃと交差する面に沿ったものである。
【００３９】
図１〜図３に示す装置を使用する工具のオペレータがバー１の交換をしたい場合、オペレータは最初にナット１５を外す。第２の距離Ｂが第１の距離Ａ即ちねじ係合の長さよりも長いおかげで、ナット１５を一つずつ緩めて外すことができる。ナットが外されると、カバー部１４と共にカバーに係留するナット１５がチェーンソーから取り外される。その後、オペレータは、古いバー１を本体２及び締付け装置のボルト３から取り外し、新しいバー１の孔にボルトの第２の部分３ｂを通して新しいバー１をボルト３上に配置する。
【００４０】
新しいバー１をボルト３上に配置してから、カバー部の貫通孔１４ｃにボルトを通してカバー部１４をボルト３上に配置する。カバー部の貫通孔１４ｃは、カバー部１４をボルト３上へ案内する案内手段としての役目も果たすため、カバー部１４は正しい位置に収まり、そしてナット１５はボルトの第２の部分３ｂの端部に対して正しく配置される。キックバックガード用のブレーキバンド（図示せず）等のブレーキ部品をカバー部に搭載する形態のチェーンソーにおいては、カバー部１４の配置精度を高めることが重要である。カバー部１４を本体２のボルト３に装着するとき、カバー部１４の貫通孔１４ｃは、ボルト３の第２の部分３ｂにより誘導を受ける。ボルト３の第２の部分３ｂの直径及び貫通孔１４ｃの直径は、カバー部４の配置精度を高めるために、両者がぴったりと嵌合しそれによって十分な誘導がなされるように調整されることが好ましい。本実施形態によれば、カバー部１４の配置精度は、図１の距離Ｃによって示される比較的長い接触領域によりさらに向上する。
【００４１】
ナット１５が、第１の距離Ａよりも長い第２の距離Ｂをナット回転軸線Ｘ方向にカバー部１４に対して移動可能となるように、カバー部１４に係留するため、カバー１４をボルト３上に配置して、ナット１５を締め付ける前にカバー１４をバー１及び本体２に対して押圧することが可能である。この方法によりカバーと本体との間にバーを正確に配置することが容易になる。
【００４２】
カバー１４をボルト３上に配置し、バー１をカバー１４によって本体２へ押し付けてから、ナット１５をボルト３にねじ係合させてナット１５を締め付ける。
【００４３】
本発明の別の実施形態を図４に示す。図１〜図３を参照して説明される実施形態のように、カバー部４は、二つの連結部１０、２０を備える締付け装置によりガイドバー１を本体２に締付け固定する。各連結部は、第１の係合手段３と第２の係合手段５とを含む。第１の係合手段３はボルトであり、第２の係合手段５はナットである。
【００４４】
図４の左側の連結部１０は、ナット５がボルト３に係合し、バー１がカバー部４と本体２との間にしっかりと挟持される状態を示す。図４の右側の連結部２０は、ナット５とボルト３は係合していないが、ナットはカバー部４に係留状態で接続している状態を示す。
【００４５】
この第２実施形態において、ボルト３は、図１〜図３を参照して説明されるボルトと同一であっても良い。各ボルトは、本体２に固着される第１の部分３ａと、本体からガイドバー１の孔及びカバー部４の孔４ｃ、４ｇを貫通して延びる第２の部分３ｂとを有する。カバー部４は、本体側へ向けられる内側面４ａと、本体とは反対方向に向けられる外側面４ｂとを有する。
【００４６】
図１〜図３を参照して説明される実施形態とは異なり、プレート４ｆがねじ６によってカバー部の外側面４ｂに取り付けられる。ボルトの第２の部分３ｂは、プレート４ｆの孔を貫通して延びる。第２のボルト部分３ｂのねじ部３ｃは、カバー部４から離れる方向にプレート４ｆから突出する。カバー部４と本体２との間にバー１を挟持するため、ナット５をボルト３のネジ部３ｃに係合させて締め付ける。
【００４７】
ナット５は、ボルトのネジ部３ｃと係合する内ねじ本体部５ｃを備える。内ねじ本体部には、ナット５が締め付けられるとプレート４ｆに当接するフランジ５ｄが設けられる。ナット５のナット回転軸線Ｘ方向への移動を許容するために、ナットはさらに、カバー部４の貫通孔４ｃ、４ｇに挿通されるネック部として形成される取付部５ａを備える。ネック部は、ナット回転軸線Ｘ方向おいてフランジ５ｄを起点に本体部５ｃから離れる方向に、本体部より突出する。ネック部５ａは、フランジ５ｄから遠い方の端にフランジとして形成される突出部５ｂを有する。突出部５ｂは、プレート４ｆの孔の少なくとも一つの縁４ｄと協働するように構成され、この少なくとも一つの縁は、ナットがカバー部４に係留してとどまるようにプレート４ｆの孔の直径を定める。このように構成されるナット５は、かなり容易に製造することができ、製造誤差も少ない。
【００４８】
カバー部の孔４ｃ、４ｇは、二つの部分、即ちカバー部４の内側面４ａに最も近い内側部４ｇと、カバー部４の外側面４ｂに最も近い外側部４ｃとを有する。内側部４ｇの直径は、外側部４ｃの直径よりも小さい。外側部４ｃは、孔４ｃ、４ｇ内の凹所を構成する。より具体的には、内側部４ｇの直径は、ボルトの第２の部分３ｂの直径と等しいか又はこれよりもわずかに大きく、外側部４ｃの直径は、ナットネック部５ａの突出部５ｂの直径と等しいか又はこれよりも大きい。孔４ｃ、４ｇの外側部４ｃは、突出部５ｂを備えるナットネック部５ａを受容することができるように内側部４ｇよりも大きな直径を有する。
【００４９】
本実施形態の内側部４ｇは、カバー部４を案内する役目も果たす。キックバックガード用のブレーキバンド（図示せず）等のブレーキ部品をカバー部に搭載する形態のチェーンソーにおいては、カバー部４の配置精度を高めることが重要である。カバー部４を本体２のボルト３に装着するとき、孔４ｃ、４ｇの内側部４ｇは、ボルト３の第２の部分３ｂにより誘導を受ける。ボルト３の第２の部分３ｂの直径及び孔４ｃ、４ｇの内側部４ｇの直径は、カバー部４の配置精度を高めるために、両者がぴったりと嵌合しそれによって十分な誘導がなされるように調整されることが好ましい。
【００５０】
プレート４ｆの孔の直径は、カバー部４の貫通孔４ｃ、４ｇの外側部４ｃの直径よりもわずかに小さいため、プレート４ｆの孔の縁４ｄは、カバー部４の孔４ｃ、４ｇの開口を部分的に覆う。
【００５１】
図４の連結部２０に示されるように、ナット５を緩めてボルトのネジ部３ｃとの係合を解除した場合、突出部５ｂの直径がプレート４ｆの孔の直径よりもわずかに大きいため、ナット５は、カバー部４に接続したままとなる。
【００５２】
図４において、参照符号Ａは、ボルト３とナット５とのねじ係合の長さである第１の距離、即ち、バー１を本体２とカバー部１４との間にしっかりと挟持するためにナット１５がボルト３とねじ係合しながらナット回転軸線Ｘ方向へ移動する距離、を示す。ナットがボルトに係合していない時は、ナットは、第２の距離Ｂをナット回転軸線Ｘ方向にカバー部４に対して移動可能な状態でカバー部４に係合する。図４において、この第２の距離Ｂは、同図左側の連結部１０のナット５の位置と同図右側の連結部２０のナット５の位置との間のナット回転軸線Ｘ方向における距離に等しい。第２の距離Ｂは、第１の距離Ａと等しいか又は第１の距離Ａよりも長いため、ナット５を一つずつ別個に外すことが可能である。参照符号Ｃは、カバー部４の厚さ、つまり、カバー部の外側面４ｂと内側面４ａとの間の距離を示す。
【００５３】
貫通孔の内側部４ｇの壁は、カバー部４をボルト３へ被せる際に、ボルト３をナット５の方へ案内する案内手段としての役目を果たし、バー１はカバー部４と本体２との間に挟持される。参照符号Ｄは、案内手段の役目を果たすカバー部４の貫通孔４ｃ、４ｇの内側部４ｇのナット回転軸線Ｘ方向における長さ、つまり、案内長さを示す。
【００５４】
一実施形態によれば、プレート４ｆの孔は、プレート４ｆの縁４ｄ間の径と同等の最小径及び突出部５ｂにおけるナットネック部５ａの直径より大きい最大径を有する長円形であっても良い。それにより、プレート４ｆがカバー部４の外側面４ｂに取り付けられていないときに、突出部５ｂにおけるナットネック部５ａの直径と同等か又は同直径より大きな直径を有するプレート４ｆの孔に、挿通前にナット５をプレート４ｆに対して傾かせることで、ナットネック部５ａを挿通することができる。プレートがねじ６によってカバー部に取り付けられると、プレートはカバー部４の外側面４ｂに当接しナットネック部５ａは孔４ｃ、４ｇ内へ延びるため、ナット５は傾けることができなくなり、カバー部に係留する。
【００５５】
別の実施形態において、プレート４ｆの孔は、プレートの縁４ｄ間の距離と同等の直径を有する円形であっても良い。プレート４ｆの孔にナットネック部５ａを挿入することができるように、ナットネック部にナット回転軸線Ｘ方向に延びるスロットを設けても良く、該スロットによりナットネック部５ａは弾力性を有する構造となる。こうすることで、ナットネック部５ａを圧縮しプレート４ｆの孔にパチンと嵌通させることが可能となる。いったん挿通されると、ナットネック部５ａは元の形状に戻り、ナット５はプレート４ｆに係留状態で接続する。
【００５６】
プレート４ｆは、別個のプレートであっても良いし、チェーンソーのスパイクやスパイクバンパー等、手持ち式電動工具に既に存在する部品であっても良い。
【００５７】
本発明のその他の実施形態も可能である。例えば、取付装置においてボルト及びナットをそれぞれ一つだけにすることもできる。
【００５８】
以上、工具はチェーンソーであると記載してきたが、工具は、例えばヘッジトリマー、クリアリングソー、トリマー、ポールソー、電動カッター等の、カバーと本体との間にバーが挟持されるあらゆる種類の手持ち式電動工具であっても良い。
【００５９】
図面及び明細書において、本発明の好適な実施形態を開示した。具体的な用語を用いたが、それらは限定のためでなく一般的且つ説明的な意味でのみ用いた。本発明の範囲は、添付の特許請求の範囲に記載される。
【図１】
2014042985.tif 000003
【図２】
2014042985.tif 000004
【図３】
2014042985.tif 000005
【図４】
2014042985.tif 000006